(57)【要約】    【課題】エコーキャンセラが有するフィルタ係数の学習機能を高め、必要な音圧で音響出力する。    【解決手段】玄関子機、親機を構成するデジタル音声処理部１０７、２０７、３０７にそれぞれバイパス回路１７１、２７１、３７１を設けることにより、一方向のデジタル音声信号の音響エコーキャンセラ処理部１７０、２７０、２７１への出力を遮断する。また、デジタル音声処理部を構成する音響エコーキャンセル処理部にそれぞれ送話ミュート処理回路１７０ｃ、２７０ｃ、３７０ｃを設けることにより、一方向のデジタル音声信号が音響的に帰還された場合であっても、音響エコーキャンセラ処理部の演算処理回路１７０ｂ、２７０ｂ、３７０ｂの作用により擬似エコーで抑圧されるばかりでなく、音響的に帰還される音データが騒音データであった場合でも、この騒音データの音圧は、送話ミュート処理回路の作用によりミュートされる。  【選択図】図２
2007266704.tif 000002
【特許請求の範囲】
【請求項１】
住戸外、エントランスに設置され来訪者が住戸内の居住者を呼び出すための呼出部（１００）および通話を成立させるためのマイク（１０３ａ）、スピーカ（１０３ｂ）を含む通話部（１０３）を有する玄関子機（１）と、前記住戸内に設置され前記来訪者からの呼び出しに応答した前記居住者が通話を成立させるためのマイク（２０３ａ、３０３ａ）、スピーカ（２０３ｂ、３０３ｂ）を含む通話部（２０３、３０３）を有する１台以上の親機（２、３）とを接続し、前記玄関子機、前記親機のオーディオコーデック（１０６、２０６、３０６）によりアナログ音声信号をデジタルデータに変換して、デジタル音声信号として送受信を行うインターホンシステムであって、
前記玄関子機、前記親機は、前記オーディオコーデックに出力するデジタル音声信号および前記オーディオコーデックを経由してデジタルデータに変換されたデジタル音声信号を演算処理し、前記スピーカから前記マイクへの音響的な帰還量を軽減するための音響エコーキャンセラ処理部（１７０、２７０、３７０）を有するデジタル音声処理部（１０７、２０７、３０７）をそれぞれ備え、
前記デジタル音声処理部は、前記オーディオコーデックを経由してデジタルデータに変換された一方向のデジタル音声信号を、前記音響エコーキャンセラ処理部への出力を遮断して迂回させるためのバイパス回路（１７１、２７１、３７１）を有し、
前記玄関子機、前記親機は、前記一方向のデジタル音声信号を伝送する際には前記音響エコーキャンセラ処理部への出力を遮断し、前記バイパス回路を形成する制御を行うためのＣＰＵ（１０８、２１３、３１１）をそれぞれ有することを特徴とするインターホンシステム。
【請求項２】
住戸外、エントランスに設置され来訪者が住戸内の居住者を呼び出すための呼出部（１００）および通話を成立させるためのマイク（１０３ａ）、スピーカ（１０３ｂ）を含む通話部（１０３）を有する玄関子機（１）と、前記住戸内に設置され前記来訪者からの呼び出しに応答した前記居住者が通話を成立させるためのマイク（２０３ａ、３０３ａ）、スピーカ（２０３ｂ、３０３ｂ）を含む通話部（２０３、３０３）を有する１台以上の親機（２、３）とを接続し、前記玄関子機、前記親機のオーディオコーデック（１０６、２０６、３０６）によりアナログ音声信号をデジタルデータに変換して、デジタル音声信号として送受信を行うインターホンシステムであって、
前記玄関子機、前記親機は、前記オーディオコーデックに出力するデジタル音声信号および前記オーディオコーデックを経由してデジタルデータに変換されたデジタル音声信号を演算処理し、前記スピーカから前記マイクへの音響的な帰還量を軽減するための音響エコーキャンセラ処理部（１７０、２７０、３７０）を有するデジタル音声処理部（１０７、２０７、３０７）をそれぞれ備え、
前記音響エコーキャンセラ処理部は、前記オーディオコーデックから出力される一方向のデジタル音声信号の音圧をミュートするための送話ミュート処理回路（１７０ｃ、２７０ｃ、３７０ｃ）を有し、
前記玄関子機、前記親機は、前記一方向のデジタル音声信号を伝送する際には前記音響エコーキャンセラ処理部を能動とする制御を行うためのＣＰＵ（１０８、２１３、３１１）をそれぞれ有することを特徴とするインターホンシステム。
【発明の詳細な説明】
【技術分野】
【０００１】
本発明は、インターホンシステムに係り、特に、通話が成立されている機器のスピーカからマイクへの音響的な帰還量を軽減して良好な通話品質を確保することができるインターホンシステムに関する。
【背景技術】
【０００２】
従来から、ラインを介して接続される端末間において、ハウリングを防止して双方向のハンズフリー通話が可能な拡声インターホン装置が開示されている（例えば、特許文献１を参照。）。
【０００３】
この拡声インターホン装置によれば、ラインを介して接続された両端末間において、下り方向の音声信号である受信アナログ信号（受信信号）および上り方向の音声信号である送信アナログ信号（送信信号）をデジタル信号として送受信させることにより、該信号に混入されるエコー成分（音響帰還成分）を抑圧（除去）することができることから、ハウリングが防止された双方向のハンズフリー通話が可能となる。
【０００４】
【特許文献１】特開平１１−２７５２４３号公報（段落番号「００１４」乃至「００２４」、第１図）
【発明の開示】
【発明が解決しようとする課題】
【０００５】
背景技術に記載した特許文献１の拡声インターホン装置において、デジタル信号の音声信号に混入されるエコー成分（音響帰還成分）を抑圧（除去）するためのエコーキャンセラは、その動作がオン状態である場合にデジタル信号のライン入力を検出できないと、当該エコーキャンセラが有するフィルタ係数を適切に学習できない難点があった。また、前述の難点に基づき、一方向のデジタル信号を伝送する際には、何らかの対策が必要であった。
【０００６】
本発明は、この難点を解消するためになされたもので、エコーキャンセラが有するフィルタ係数の学習機能を高め、必要な音圧で音響出力することができるインターホンシステムを提供することを目的としている。
【課題を解決するための手段】
【０００７】
前述の目的を達成するため、本発明の第１の態様であるインターホンシステムは、住戸外、エントランスに設置され来訪者が住戸内の居住者を呼び出すための呼出部および通話を成立させるためのマイク、スピーカを含む通話部を有する玄関子機と、住戸内に設置され来訪者からの呼び出しに応答した居住者が通話を成立させるためのマイク、スピーカを含む通話部を有する１台以上の親機とを接続し、玄関子機、親機のオーディオコーデックによりアナログ音声信号をデジタルデータに変換して、デジタル音声信号として送受信を行うものである。玄関子機、親機は、オーディオコーデックに出力するデジタル音声信号およびオーディオコーデックを経由してデジタルデータに変換されたデジタル音声信号を演算処理し、スピーカからマイクへの音響的な帰還量を軽減するための音響エコーキャンセラ処理部を有するデジタル音声処理部をそれぞれ備えたものである。デジタル音声処理部は、オーディオコーデックを経由してデジタルデータに変換された一方向のデジタル音声信号を、音響エコーキャンセラ処理部への出力を遮断して迂回させるためのバイパス回路を有したものである。玄関子機、親機は、一方向のデジタル音声信号を伝送する際には音響エコーキャンセラ処理部への出力を遮断し、バイパス回路を形成する制御を行うためのＣＰＵをそれぞれ有するものである。
【０００８】
また、本発明の第２の態様であるインターホンシステムは、住戸外、エントランスに設置され来訪者が住戸内の居住者を呼び出すための呼出部および通話を成立させるためのマイク、スピーカを含む通話部を有する玄関子機と、住戸内に設置され来訪者からの呼び出しに応答した居住者が通話を成立させるためのマイク、スピーカを含む通話部を有する１台以上の親機とを接続し、玄関子機、親機のオーディオコーデックによりアナログ音声信号をデジタルデータに変換して、デジタル音声信号として送受信を行うものである。玄関子機、親機は、オーディオコーデックに出力するデジタル音声信号およびオーディオコーデックを経由してデジタルデータに変換されたデジタル音声信号を演算処理し、スピーカからマイクへの音響的な帰還量を軽減するための音響エコーキャンセラ処理部を有するデジタル音声処理部をそれぞれ備えたものである。音響エコーキャンセラ処理部は、オーディオコーデックから出力される一方向のデジタル音声信号の音圧をミュートするための送話ミュート処理回路を有したものである。玄関子機、親機は、一方向のデジタル音声信号を伝送する際には音響エコーキャンセラ処理部を能動とする制御を行うためのＣＰＵをそれぞれ有するものである。
【発明の効果】
【０００９】
本発明の第１の態様であるインターホンシステムによれば、玄関子機、親機を構成するデジタル音声処理部にそれぞれバイパス回路を設けることにより、通話部のスピーカから出力させる呼出音、呼出確認音、音声メッセージ等のような一方向のデジタル音声信号の音響エコーキャンセラ処理部への出力が遮断されるため、音響エコーキャンセル処理部（の演算処理回路）は、通話が成立される前においてフィルタ係数を不適切に学習することなく、必要な音圧で音響出力することができる。
【００１０】
また、本発明の第２の態様であるインターホンシステムによれば、玄関子機、親機のデジタル音声処理部を構成する音響エコーキャンセル処理部にそれぞれ送話ミュート処理回路を設けることにより、通話部のスピーカから出力させる呼出音、呼出確認音、音声メッセージ等のような一方向のデジタル音声信号がマイクへと音響的に帰還された場合であっても、音響エコーキャンセラ処理部（の演算処理回路）の作用により擬似エコーで抑圧することができるばかりでなく、スピーカからマイクへと音響的に帰還される音データが騒音データであった場合でも、この騒音データの音圧は、音響エコーキャンセラ処理部の送話ミュート処理回路の作用によりミュートすることができるため、音響エコーキャンセル処理部（の演算処理回路）は、通話が成立される前においてフィルタ係数を適切に学習しつつ擬似エコー作成の精度を高め、必要な音圧で音響出力することができる。
【発明を実施するための最良の形態】
【００１１】
以下、本発明のインターホンシステムを適用した最良の実施の形態例について、図面を参照して説明する。
【００１２】
図１は、本発明の実施例によるインターホンシステムの具体的な構成を示すブロック図である。
【００１３】
図１に示すインターホンシステムは、住戸外、エントランスに設置され、来訪者が住戸内に在室中の居住者を呼び出して通話を成立させるための玄関子機１と、住戸内に設置され玄関子機１からの呼び出しに応答した居住者が来訪者との間で通話を成立させるための１台以上の親機、ここでは、２台の親機（以下、それぞれ居室親機、増設親機という。）２、３とで構成されており、玄関子機１および居室親機２の間は子機／親機ラインＬ1を経由して接続され、居室親機２および増設親機３の間は親機／増設ラインＬ2を経由して接続されている。
【００１４】
なお、本発明の実施例において、親機は、居室親機２および増設親機３のように２台の当該親機の限定されるものではない。例えば、居室親機２および複数台の増設親機３、３、・・・のように３台以上の当該親機を適用することもできる。
【００１５】
同図において、玄関子機１には、呼出部１００、カメラ１０１、映像処理部（以下、子機映像処理部という。）１０２、通話部（以下、子機通話部という。）１０３、マイクアンプ（以下、子機マイクアンプという。）１０４、スピーカアンプ（以下、子機スピーカアンプという。）１０５、オーディオコーデック（以下、子機オーディオコーデックという。）１０６、デジタル音声処理部（以下、子機デジタル音声処理部という。）１０７、ＣＰＵ（Central Processing Unit、以下、子機ＣＰＵという。）１０８、インターフェース（以下、子機Ｉ／Ｆという。）１０９が備えられている。
【００１６】
この玄関子機１において、呼出部１００は、来訪者が居住者を呼び出すために所定の呼出操作を行うものである。また、呼出部１００としては、例えば、呼出ボタンが好適とされる。
【００１７】
カメラ１０１は、呼出操作を行った来訪者の映像や住戸外、エントランスの周囲近傍の映像を撮像するためのものである。このカメラ１０１としては、例えば、ＣＣＤ（Charge Coupled Devices）、ＣＭＯＳ（Complementary Metal Oxide Semiconductor）等の各種の撮像素子が好適とされる。
【００１８】
子機映像処理部１０２は、カメラ１０１にて撮像された映像であり電気信号に信号処理された映像信号を信号処理、例えば、ＦＭ（Frequency Modulation）変調して映像変調信号を生成するためのものである。
【００１９】
子機通話部１０３は、来訪者が居住者との間で通話を成立させるにあたり通話音声(送話音声、受話音声)を入出力するためのものであり、マイク（以下、子機マイクという。）１０３ａおよびスピーカ（以下、子機スピーカという。）１０３ｂが含まれている。また、子機スピーカ１０３ｂは、前述の通話（受話）機能のみならず、当該玄関子機を使用した来訪者からの呼び出しが居室親機２（および増設親機３）にて正常に呼出検出された旨の呼出確認音や音声メッセージ等を出力することができる。
【００２０】
子機マイクアンプ１０４は、子機通話部１０３の子機マイク１０３ａに入力された来訪者の通話音声（送話音声）であり電気信号に信号処理されたアナログ音声信号を増幅するためのものである。
【００２１】
子機スピーカアンプ１０５は、子機通話部１０３の子機スピーカ１０３ｂから出力させる居住者の通話音声（受話音声）である電気信号のアナログ音声信号を増幅するとともに、呼出確認音や音声メッセージ等である電気信号のアナログ音声信号を増幅するためのものである。
【００２２】
子機オーディオコーデック１０６は、子機マイクアンプ１０４を経由して増幅されたアナログ音声信号を、デジタル音声信号にＡ／Ｄ変換（アナログ／デジタル変換）して子機デジタル音声処理部１０７に送出（出力）するとともに、子機デジタル音声処理部１０７を経由して伝送されてくるデジタル音声信号を、アナログ音声信号にＤ／Ａ変換（デジタル／アナログ変換）して子機スピーカアンプ１０５に送出（出力）するためのものである。
【００２３】
子機デジタル音声処理部１０７は、子機オーディオコーデック１０６を経由してＡ／Ｄ変換されたデジタル音声信号と子機オーディオコーデック１０６に送出（出力）されるデジタル音声信号とを演算処理して、子機通話部１０３の子機スピーカ１０３ｂから子機マイク１０３ａへの音響的な帰還量を軽減するためのものである。
【００２４】
子機ＣＰＵ１０８は、当該玄関子機の構成各部／回路をそれぞれ制御するためのものである。具体的な制御としては、呼出部１００の操作検出、カメラ１０１、子機映像処理部１０２、子機マイクアンプ１０４、子機スピーカアンプ１０５、子機オーディオコーデック１０６および子機デジタル音声処理部１０７の動作（駆動）制御等が行われる。なお、子機ＣＰＵ１０８により制御される構成各部／回路への制御ラインのうち、子機デジタル音声処理部１０７への制御ライン以外の図示は、省略するものとする。
【００２５】
子機Ｉ／Ｆ１０９は、子機映像処理部１０２から子機／親機ラインＬ1への信号伝送路、子機デジタル音声処理部１０７および子機／親機ラインＬ1の間の信号伝送路（通話路）、子機ＣＰＵ１０８および子機／親機ラインＬ1の間の信号伝送路をそれぞれ形成するためのものである。
【００２６】
また、居室親機２には、操作部（以下、親機操作部という。）２００、モニタ（以下、親機モニタという。）２０１、映像処理部（以下、親機映像処理部という。）２０２、通話部（以下、親機通話部という。）２０３、マイクアンプ（以下、親機マイクアンプという。）２０４、スピーカアンプ（以下、親機スピーカアンプという。）２０５、オーディオコーデック（以下、親機オーディオコーデックという。）２０６、デジタル音声処理部（以下、親機デジタル音声処理部という。）２０７、ＲＯＭ（Read Only Memory、以下、親機ＲＯＭという。）２０８、２つのＲＡＭ（Random Access Memory、以下、それぞれ親機映像ＲＡＭ、親機音声ＲＡＭという。）２０９、２１０、ＭＡＣ（Media Access Control）２１１、ＰＨＹ（Physical Media Interface）２１２、ＣＰＵ（以下、親機ＣＰＵという。）２１３、インターフェース（以下、親機Ｉ／Ｆという。）２１４、バスライン（以下、親機バスラインという。）２１５が備えられている。なお、親機映像処理部２０２、親機オーディオコーデック２０６、親機デジタル音声処理部２０７、親機ＲＯＭ２０８、親機音声ＲＡＭ２１０、ＭＡＣ２１１、親機ＣＰＵ２１３、親機Ｉ／Ｆ２１４は、それぞれ親機バスライン２１５を経由して相互に接続されている。
【００２７】
この居室親機２において、親機操作部２００は、来訪者からの呼び出しを確認した当該居室親機の使用である居住者（以下、第１の居住者という。）が通話を成立させるために所定の応答操作を行うとともに、親機映像ＲＡＭ２０９に予め記憶（録画）されている映像信号を読み出して親機モニタ２０１に出画させるための所定の出画操作、親機音声ＲＡＭ２１０に予め記憶（録音）されているデジタル音声信号を読み出して親機通話部２０３の後述する親機スピーカ２０３ｂから出力させるための所定の再生操作をそれぞれ行うものである。また、親機操作部２００としては、例えば、通話（応答）ボタン、映像出画ボタン、音声再生ボタン等の各種の操作ボタンや親機モニタ２０１の前面に配置されたタッチパネル等が好適とされる。
【００２８】
親機モニタ２０１は、玄関子機１のカメラ１０１にて撮像された映像である来訪者の映像や住戸外、エントランスの周囲近傍の映像を出画するとともに、来訪者からの呼び出しがある旨の文字メッセージや絵データ等を表示するためのものである。また、親機モニタ２０１は、親機操作部２００にて行われる操作情報（詳述せず。）を表示することができる。この親機モニタ２０１としては、例えば、ＬＣＤ（Liquid Crystal Display）、有機ＥＬ（Electro Luminescence）ディスプレイ等の各種のディスプレイが好適とされる。
【００２９】
親機映像処理部２０２は、玄関子機１から子機／親機ラインＬ1を経由して伝送されてくる映像変調信号を信号処理、例えば、ＦＭ復調して親機モニタ２０１に出画させる映像信号を生成するとともに、親機映像ＲＡＭ２０９から読み出される映像信号を信号処理して親機モニタ２０１に出画させるためのものである。また、親機映像処理部２０２は、親機ＲＯＭ２０８から読み出される文字メッセージや絵データ等を信号処理して親機モニタ２０１に表示させることができる。
【００３０】
親機通話部２０３は、第１の居住者が来訪者との間で通話を成立させるにあたり通話音声(送話音声、受話音声)を入出力するためのものであり、マイク（以下、親機マイクという。）２０３ａおよびスピーカ（以下、親機スピーカという。）２０３ｂが含まれている。また、親機スピーカ２０３ｂは、前述の通話（受話）機能のみならず、親機ＲＯＭ２０８から読み出される玄関子機１を使用した来訪者からの呼び出しがある旨の呼出音や音声メッセージ等を出力させることができる。
【００３１】
親機マイクアンプ２０４は、親機通話部２０３の親機マイク２０３ａに入力された第１の居住者の通話音声（送話音声）であり電気信号に信号処理されたアナログ音声信号を増幅するためのものである。
【００３２】
親機スピーカアンプ２０５は、親機機通話部２０３の親機スピーカ２０３ｂから出力させる来訪者の通話音声（受話音声）である電気信号のアナログ音声信号を増幅するとともに、呼出音や音声メッセージ等である電気信号のアナログ音声信号を増幅するためのものである。
【００３３】
親機オーディオコーデック２０６は、親機マイクアンプ２０４を経由して増幅されたアナログ音声信号を、デジタル音声信号にＡ／Ｄ変換して親機デジタル音声処理部２０７に送出（出力）するとともに、親機デジタル音声処理部２０７を経由して伝送されてくるデジタル音声信号を、アナログ音声信号にＤ／Ａ変換して親機スピーカアンプ２０５に送出（出力）するためのものである。
【００３４】
親機デジタル音声処理部２０７は、親機オーディオコーデック２０６を経由してＡ／Ｄ変換されたデジタル音声信号と親機オーディオコーデック２０６に送出（出力）されるデジタル音声信号とを演算処理して、親機通話部２０３の親機スピーカ２０３ｂから親機マイク２０３ａへの音響的な帰還量を軽減するためのものである。
【００３５】
親機ＲＯＭ２０８は、親機通話部２０３の親機スピーカ２０３ｂから出力させる（アナログ音声信号の）呼出音や音声メッセージ等および玄関子機１を構成する子機通話部１０３の子機スピーカ１０３ｂから出力させる（アナログ音声信号の）呼出確認音や音声メッセージ等と、親機モニタ２０１に表示させる文字メッセージや絵データ等が予め記憶されているものである。
【００３６】
親機映像ＲＡＭ２０９は、親機映像処理部２０２を経由して信号処理（ＦＭ復調）された映像信号を記憶（録画）するためのものである。
【００３７】
親機音声ＲＡＭ２１０は、親機オーディオコーデック２０６を経由してＡ／Ｄ変換されたデジタル音声信号を記憶（録音）するためのものである。
【００３８】
ＭＡＣ２１１は、外部ネットワークである例えば、ＩＰネットワークとの間で通信を行うために用いられ、（デジタル）音声信号、映像信号、宛先アドレス（フラグ）、送信元を含むフレームを形成するためのものである。
【００３９】
ＰＨＹ２１２は、ＭＡＣ２１１を経由して行われるフレームの送受信に必要な符号に変換するＩＰネットワーク用の物理メディア・インターフェースとなる物理層構築部である。
【００４０】
親機ＣＰＵ２１３は、当該居室親機の構成各部／回路をそれぞれ制御するためのものである。具体的な制御としては、親機操作部２００の操作検出、親機モニタ２０１、親機映像処理部２０２、親機マイクアンプ２０４、親機スピーカアンプ２０５、親機オーディオコーデック２０６、親機デジタル音声処理部２０７およびＭＡＣ２１１への動作（駆動）制御、親機通話部２０３の親機スピーカ２０３ｂを使用した呼出報知、親機ＲＯＭ２０８への読み出し制御、親機映像ＲＡＭ２０９および親機音声ＲＡＭ２１０への読み出し／書き込み制御等が行われる。また、親機ＣＰＵ２１３には、来訪者からの呼び出しがある旨を点灯表示または点滅表示するための呼出表示灯（図示せず。）を接続することもできる。なお、親機ＣＰＵ２１３により親機データバス２１５を経由して制御される構成各部／回路への制御ラインのうち、親機映像処理部２０２、親機オーディオコーデック２０６、親機デジタル音声処理部２０７、親機ＲＯＭ２０８、親機音声ＲＡＭ２１０、ＭＡＣ２１１および親機Ｉ／Ｆ２１４への各制御ライン以外の図示は、省略するものとする。
【００４１】
親機Ｉ／Ｆ２１４は、子機／親機ラインＬ1から親機映像処理部２０２への信号伝送路、親機デジタル音声処理部２０７および子機／親機ラインＬ1の間の信号伝送路（通話路）、親機データバス２１５および子機／親機ラインＬ1の間の信号伝送路、親機データバス２１５および親機／増設ラインＬ2の間の信号伝送路、子機／親機ラインＬ1および親機／増設ラインＬ2の間の信号伝送路をそれぞれ形成するためのものである。
【００４２】
さらに、増設親機３には、操作部（以下、増設操作部という。）３００、モニタ（以下、増設モニタという。）３０１、映像処理部（以下、増設映像処理部という。）３０２、通話部（以下、増設通話部という。）３０３、マイクアンプ（以下、増設マイクアンプという。）３０４、スピーカアンプ（以下、増設スピーカアンプという。）３０５、オーディオコーデック（以下、増設オーディオコーデックという。）３０６、デジタル音声処理部（以下、増設デジタル音声処理部という。）３０７、ＲＯＭ（以下、増設ＲＯＭという。）３０８、２つのＲＡＭ（以下、それぞれ増設映像ＲＡＭ、増設音声ＲＡＭという。）３０９、３１０、ＣＰＵ（以下、増設ＣＰＵという。）３１１、インターフェース（以下、増設Ｉ／Ｆという。）３１２、バスライン（以下、増設バスラインという。）３１３が備えられている。なお、増設映像処理部３０２、増設オーディオコーデック３０６、増設デジタル音声処理部３０７、増設ＲＯＭ３０８、増設音声ＲＡＭ３１０、増設ＣＰＵ３１１、増設Ｉ／Ｆ３１２は、それぞれ増設バスライン３１３を経由して相互に接続されている。
【００４３】
この増設親機３において、増設操作部３００は、来訪者からの呼び出しを確認した当該増設親機の使用者である居住者（以下、第２の居住者という。）が通話を成立させるために所定の応答操作を行うとともに、増設映像ＲＡＭ３０９に予め記憶（録画）されている映像信号を読み出して増設モニタ３０１に出画させるための所定の出画操作、増設音声メモリ３１０に予め記憶（録音）されているデジタル音声信号を読み出して増設通話部３０３の後述する増設スピーカ３０３ｂから出力させるための所定の再生操作をそれぞれ行うものである。また、増設操作部３００としては、例えば、通話（応答）ボタン、映像出画ボタン、音声再生ボタン等の各種の操作ボタンや増設モニタ３０１の前面に配置されたタッチパネル等が好適とされる。
【００４４】
増設モニタ３０１は、玄関子機１のカメラ１０１にて撮像された映像である来訪者の映像や住戸外、エントランスの周囲近傍の映像を出画するとともに、来訪者からの呼び出しがある旨の文字メッセージや絵データ等を表示するためのものである。また、増設モニタ３０１は、増設操作部３００にて行われる操作情報（詳述せず。）を表示することができる。この増設モニタ３０１としては、例えば、ＬＣＤ、有機ＥＬディスプレイ等の各種のディスプレイが好適とされる。
【００４５】
増設映像処理部３０２は、玄関子機１から子機／親機ラインＬ1、居室親機２、親機／増設ラインＬ2を経由して伝送されてくる映像変調信号を信号処理、例えば、ＦＭ復調して増設モニタ３０１に出画させる映像信号を生成するとともに、増設映像ＲＡＭ３０９から読み出される映像信号を信号処理して増設モニタ３０１に出画させるためのものである。また、増設映像処理部３０２は、増設ＲＯＭ３０８から読み出される文字メッセージや絵データ等を信号処理して増設モニタ２０１に表示させることができる。
【００４６】
増設通話部３０３は、第２の居住者が来訪者との間で通話を成立させるにあたり通話音声(送話音声、受話音声)を入出力するためのものであり、マイク（以下、増設マイクという。）３０３ａおよびスピーカ（以下、増設スピーカという。）３０３ｂが含まれている。また、増設スピーカ３０３ｂは、前述の通話（受話）機能のみならず、来訪者からの呼び出しがある旨の増設ＲＯＭ３０８から読み出される呼出音や音声メッセージ等を出力させることができる。
【００４７】
増設マイクアンプ３０４は、増設通話部３０３の増設マイク３０３ａに入力された第２の居住者の通話音声（送話音声）であり電気信号に信号処理されたアナログ音声信号を増幅するためのものである。
【００４８】
増設スピーカアンプ３０５は、増設通話部３０３の増設スピーカ３０３ｂから出力させる来訪者の通話音声（受話音声）である電気信号のアナログ音声信号を増幅するとともに、呼出音や音声メッセージ等である電気信号のアナログ音声信号を増幅するためのものである。
【００４９】
増設オーディオコーデック３０６は、増設マイクアンプ３０４を経由して増幅されたアナログ音声信号を、デジタル音声信号にＡ／Ｄ変換して増設デジタル音声処理部３０７に送出（出力）するとともに、増設デジタル音声処理部３０７を経由して伝送されてくるデジタル音声信号を、アナログ音声信号にＤ／Ａ変換して増設スピーカアンプ３０５に送出（出力）するためのものである。
【００５０】
増設デジタル音声処理部３０７は、増設オーディオコーデック３０６を経由してＡ／Ｄ変換されたデジタル音声信号と増設オーディオコーデック３０６に送出（出力）されるデジタル音声信号とを演算処理して、増設通話部３０３の増設スピーカ３０３ｂから増設マイク３０３ａへの音響的な帰還量を軽減するためのものである。
【００５１】
増設ＲＯＭ３０８は、増設通話部３０３の増設スピーカ３０３ｂから出力させる呼出音や音声メッセージ等と、増設モニタ３０１に表示させる文字メッセージや絵データ等が予め記憶されているものである。
【００５２】
増設映像ＲＡＭ３０９は、増設映像処理部３０２を経由して信号処理（ＦＭ復調）された映像信号を記憶（録画）するためのものである。
【００５３】
増設音声ＲＡＭ３１０は、増設オーディオコーデック３０６を経由してＡ／Ｄ変換されたデジタル音声信号を記憶（録音）するためのものである。
【００５４】
増設ＣＰＵ３１１は、当該増設親機の構成各部／回路をそれぞれ制御するためのものである。具体的な制御としては、増設操作部３００の操作検出、増設モニタ３０１、増設映像処理部３０２、増設マイクアンプ３０４、増設スピーカアンプ３０５、増設オーディオコーデック３０６および増設デジタル音声処理部３０７への動作（駆動）制御、増設通話部３０３の増設スピーカ３０３ｂを使用した呼出報知、増設ＲＯＭ３０８への読み出し制御、増設映像ＲＡＭ３０９および増設音声ＲＡＭ３１０への読み出し／書き込み制御等が行われる。また、増設ＣＰＵ３１１には、来訪者からの呼び出しがある旨を点灯表示または点滅表示するための呼出表示灯（図示せず。）を接続することもできる。なお、増設ＣＰＵ３１１により増設データバス３１３を経由して制御される構成各部／回路への制御ラインのうち、増設映像処理部３０２、増設オーディオコーデック３０６、増設デジタル音声処理部３０７、増設ＲＯＭ３０８、増設音声ＲＡＭ３１０および増設Ｉ／Ｆ３１２への各制御ライン以外の図示は、省略するものとする。
【００５５】
増設Ｉ／Ｆ３１２は、親機／増設ラインＬ2から増設映像処理部３０２への信号伝送路、増設デジタル音声処理部３０７および親機／増設ラインＬ2の間の信号伝送路（通話路）、増設データバス３１３および親機／増設ラインＬ2の間の信号伝送路、をそれぞれ形成するためのものである。
【００５６】
図２は、本発明の実施例によるインターホンシステムにおいて、玄関子機１の子機デジタル音声処理部１０７、居室親機２の親機デジタル音声処理部２０７、増設親機３の増設デジタル音声処理部３０７の具体的な構成をそれぞれ示すブロック図である。
【００５７】
図２において、玄関子機１の子機デジタル音声処理部１０７には、子機ＣＰＵ１０８によりそれぞれ制御される音響エコーキャンセラ処理部１７０およびバイパス回路１７１と、アンプ（以下、受話処理アンプという。）１７２とが備えられている。また、音響エコーキャンセラ処理部１７０には、アンプ（以下、内部処理アンプという。）１７０ａ、演算処理回路１７０ｂ、送話ミュート処理回路１７０ｃが備えられている。
【００５８】
この玄関子機１の子機デジタル音声処理部１０７において、音響エコーキャンセラ処理部１７０の内部処理アンプ１７０ａは、子機Ｉ／Ｆ１０９、バイパス回路１７１を経由して伝送されてくるデジタル音声信号を増幅して演算処理回路１７０ｂに送出（出力）するためのものである。
【００５９】
音響エコーキャンセラ処理部１７０の演算処理回路１７０ｂは、内部処理アンプ１７０ａを経由して増幅されたデジタル音声信号と子機オーディオコーデック１０６を経由して伝送されてくるデジタル音声信号とを演算処理するためのものである。
【００６０】
音響エコーキャンセラ処理部１７０の送話ミュート処理回路１７０ｃは、演算処理回路１７０ｂから子機Ｉ／Ｆ１０９に送出（出力）されるデジタル音声信号の音圧をミュートするためのものである。
【００６１】
玄関子機１の子機デジタル音声処理部１０７において、バイパス回路１７１は、子機Ｉ／Ｆ１０９を経由して伝送されてくるデジタル音声信号の音響エコーキャンセラ処理部１７０の内部処理アンプ１７０ａへの送出（出力）を遮断し、当該音響エコーキャンセラ処理部から迂回させて受話処理アンプ１７２に送出（出力）するためのものである。
【００６２】
子機デジタル音声処理部１０７の受話処理アンプ１７２は、音響エコーキャンセラ処理部１７０の演算処理回路１７０ｂ、またはバイパス回路１７１を経由して伝送されてくるデジタル音声信号を増幅して子機オーディオコーデック１０６に送出（出力）するためのものである。
【００６３】
また、居室親機２の親機デジタル音声処理部２０７には、親機ＣＰＵ２１３によりそれぞれ制御される音響エコーキャンセラ処理部２７０およびバイパス回路２７１と、受話処理アンプ２７２とが備えられている。また、音響エコーキャンセラ処理部２７０には、内部処理アンプ２７０ａ、演算処理回路２７０ｂ、送話ミュート処理回路２７０ｃが備えられている。
【００６４】
この居室親機２の親機デジタル音声処理部２０７において、音響エコーキャンセラ処理部２７０の内部処理アンプ２７０ａは、親機Ｉ／Ｆ２１４、バイパス回路２７１を経由して伝送されてくるデジタル音声信号、または親機データバス２１５、バイパス回路２７１を経由して伝送されてくる（親機ＲＯＭ２０８から読み出された）デジタル音声信号を増幅して演算処理回路２７０ｂに送出（出力）するためのものである。
【００６５】
音響エコーキャンセラ処理部２７０の演算処理回路２７０ｂは、内部処理アンプ２７０ａを経由して増幅されたデジタル音声信号と親機オーディオコーデック２０６を経由して伝送されてくるデジタル音声信号とを演算処理するためのものである。
【００６６】
音響エコーキャンセラ処理部２７０の送話ミュート処理回路２７０ｃは、演算処理回路２７０ｂから親機Ｉ／Ｆ２１４に送出（出力）されるデジタル音声信号の音圧をミュートするためのものである。
【００６７】
居室親機２の親機デジタル音声処理部２０７において、バイパス回路２７１は、親機Ｉ／Ｆ２１４を経由して伝送されてくるデジタル音声信号、または親機データバス２１５を経由して伝送されてくる（親機ＲＯＭ２０８から読み出された）デジタル音声信号の音響エコーキャンセラ処理部２７０の内部処理アンプ２７０ａへの送出（出力）を遮断し、当該音響エコーキャンセラ処理部から迂回させて受話処理アンプ２７２に送出（出力）するためのものである。
【００６８】
親機デジタル音声処理部２０７の受話処理アンプ２７２は、音響エコーキャンセラ処理部２７０の演算処理回路２７０ｂ、またはバイパス回路２７１を経由して伝送されてくるデジタル音声信号を増幅して親機オーディオコーデック２０６に送出（出力）するためのものである。
【００６９】
さらに、増設親機３の増設デジタル音声処理部３０７には、増設ＣＰＵ３１１によりそれぞれ制御される音響エコーキャンセラ処理部３７０およびバイパス回路３７１と、受話処理アンプ３７２とが備えられている。また、音響エコーキャンセラ処理部３７０には、内部処理アンプ３７０ａ、演算処理回路３７０ｂ、送話ミュート処理回路３７０ｃが備えられている。
【００７０】
この増設親機３の増設デジタル音声処理部３０７において、音響エコーキャンセラ処理部３７０の内部処理アンプ３７０ａは、増設Ｉ／Ｆ３１２、バイパス回路３７１を経由して伝送されてくるデジタル音声信号、または増設データバス３１３、バイパス回路３７１を経由して伝送されてくる（増設ＲＯＭ３０８から読み出された）デジタル音声信号を増幅して演算処理回路３７０ｂに送出（出力）するためのものである。
【００７１】
音響エコーキャンセラ処理部３７０の演算処理回路３７０ｂは、内部処理アンプ３７０ａを経由して増幅されたデジタル音声信号と増設オーディオコーデック３０６を経由して伝送されてくるデジタル音声信号とを演算処理するためのものである。
【００７２】
音響エコーキャンセラ処理部３７０の送話ミュート処理回路３７０ｃは、演算処理回路３７０ｂから増設Ｉ／Ｆ３１２に送出（出力）されるデジタル音声信号の音圧をミュートするためのものである。
【００７３】
増設親機３の増設デジタル音声処理部３０７において、バイパス回路３７１は、増設Ｉ／Ｆ３１２を経由して伝送されてくるデジタル音声信号、または増設データバス３１３を経由して伝送されてくる（増設ＲＯＭ３０８から読み出された）デジタル音声信号の音響エコーキャンセラ処理部３７０の内部処理アンプ３７０ａへの送出（出力）を遮断し、当該音響エコーキャンセラ処理部から迂回させて受話処理アンプ３７２に送出（出力）するためのものである。
【００７４】
増設デジタル音声処理部３０７の受話処理アンプ３７２は、音響エコーキャンセラ処理部３７０の演算処理回路３７０ｂ、またはバイパス回路３７１を経由して伝送されてくるデジタル音声信号を増幅して増設オーディオコーデック３０６に送出（出力）するためのものである。
【００７５】
このように構成された本発明の実施例によるインターホンシステムにおいて、以下、具体的な動作について説明する。
【００７６】
本発明の実施例による第１の動作として、来訪者が、図１に示す玄関子機１の呼出部１００を使用して所定の呼出操作を行うと、この呼出操作を検出した子機ＣＰＵ１０８にて呼出信号が生成される。また、子機ＣＰＵ１０８にて生成された呼出信号は、子機Ｉ／Ｆ１０９、子機／親機ラインＬ1、居室親機２の親機Ｉ／Ｆ２１４、親機データバス２１５を経由して親機ＣＰＵ２１３に伝送される。さらに、子機ＣＰＵ１０８は、図２に示す子機デジタル音声処理部１０７のバイパス回路１７１を制御して、音響エコーキャンセラ処理部１７０を経由せずに、子機Ｉ／Ｆ１０９から受話処理アンプ１７２への信号伝送路を形成する。なお、子機ＣＰＵ１０８による前述の制御が行われているとき、音響エコーキャンセラ処理部１７０は非能動のまま保持されている。
【００７７】
居室親機２の親機ＣＰＵ２１３は、玄関子機１から伝送されてきた呼出信号をもとに来訪者からの呼び出しがあることを検出し、その旨の呼出音や音声メッセージ等（のデジタル音声信号）について、親機データバス２１５を経由して親機ＲＯＭ２０８から読み出すとともに、読み出された呼出音や音声メッセージ等を親機通話部２０３の親機スピーカ２０３ｂから出力させるにあたり、図２に示す親機デジタル音声処理部２０７のバイパス回路２７１を制御して、音響エコーキャンセラ処理部２７０を経由せずに、親機データバス２１５から受話処理アンプ２７２への信号伝送路を形成することにより、親機ＲＯＭ２０８から読み出された呼出音や音声メッセージ等のデジタル音声信号は、親機データバス２１５、親機デジタル音声処理部２０７のバイパス回路２７１、受話処理アンプ２７２、親機オーディオコーデック２０６、親機スピーカアンプ２０５を経由して親機通話部２０３の親機スピーカ２０３ｂに伝送され、適宜、信号処理（Ｄ／Ａ変換）および増幅された呼出音や音声メッセージ等として親機スピーカ２０３ｂから出力させることができる。なお、親機ＣＰＵ２０８による前述の制御が行われているとき、音響エコーキャンセラ処理部２７０は非能動のまま保持されている。
【００７８】
前述までの説明から明らかなように、居室親機２の親機ＣＰＵ２１３の制御により親機ＲＯＭ２０８から読み出された呼出音や音声メッセージ等を、親機通話部２０３の親機スピーカ２０３ｂから出力させるにあたって、音響エコーキャンセラ処理部２７０は非能動のまま保持されており、この音響エコーキャンセラ処理部２７０の内部処理アンプ２７０ａ、演算処理回路２７０ｂおよび送話ミュート処理回路２７０ｃはそれぞれ動作（駆動）する必要がないため消費電力を抑えることできるばかりでなく、演算処理回路２７０ｂは、通話が成立される前においてフィルタ係数を不適切に学習することなく、必要な音圧で音響出力することができる。また、親機スピーカ２０３ｂから出力された呼出音や音声メッセージ等が親機マイク２０３ａへと音響的に帰還され、親機マイクアンプ２０４、親機オーディオコーデック２０６を経由して親機デジタル音声処理部２０７に伝送された場合であっても、音響エコーキャンセラ処理部２７０が非能動のまま保持されているため、通話が成立される前において、音響的に帰還された呼出音や音声メッセージ等のデジタル音声信号が親機Ｉ／Ｆ２１４を経由して子機／親機ラインＬ1に送出（出力）されることはない。なお、親機スピーカ２０３ｂから親機マイク２０３ａへと音響的に帰還された呼出音や音声メッセージ等以外の音データ、例えば、騒音データが親機マイク２０３ａに入力された場合であっても、通話が成立される前において、騒音データのデジタル音声信号が親機Ｉ／Ｆ２１４を経由して子機／親機ラインＬ1に送出（出力）されることもない。
【００７９】
また、居室親機２の親機ＣＰＵ２１３は、玄関子機１から伝送されてきた呼出信号をもとに来訪者からの呼び出しがあることを検出し、その旨の文字メッセージや絵データ等について、親機データバス２１５を経由して親機ＲＯＭ２０８から読み出すとともに、親機モニタ２０１および親機映像処理部２０２をそれぞれ動作（駆動）させて当該親機モニタを表示／出画表示に制御し、親機ＲＯＭ２０８から読み出された文字メッセージや絵データ等を親機モニタ２０１に表示させることができる。
【００８０】
また、居室親機２の親機ＣＰＵ２１３は、玄関子機１から伝送されてきた呼出信号をもとに来訪者からの呼び出しがあることを検出し、この呼出検出が正常に行われた旨の呼出確認音や音声メッセージ等（のデジタル音声信号）について、親機データバス２１５を経由して親機ＲＯＭ２０８から読み出す。このデジタル音声信号は、親機ＲＯＭ２０８から親機データバス２１５、親機Ｉ／Ｆ２１４、子機／親機ラインＬ1、玄関子機１の子機Ｉ／Ｆ１０９、図２に示す子機デジタル音声処理部１０７のバイパス回路１７１、受話処理アンプ１７２、子機オーディオコーデック１０６、子機スピーカアンプ１０５を経由して子機通話部１０３の子機スピーカ１０３ｂに伝送され、適宜、信号処理（Ｄ／Ａ変換）および増幅された呼出確認音や音声メッセージ等として子機スピーカ１０３ｂから出力させることができる。
【００８１】
前述までの説明から明らかなように、居室親機２の親機ＣＰＵ２１３の制御により親機ＲＯＭ２０８から読み出された呼出確認音や音声メッセージ等を、玄関子機１を構成する子機通話部１０３の子機スピーカ１０３ｂから出力させるにあたって、音響エコーキャンセラ処理部１７０は非能動のまま保持されており、この音響エコーキャンセラ処理部１７０の内部処理アンプ１７０ａ、演算処理回路１７０ｂおよび送話ミュート処理回路１７０ｃはそれぞれ動作（駆動）する必要がないため消費電力を抑えることできるばかりでなく、演算処理回路１７０ｂは、通話が成立される前においてフィルタ係数を不適切に学習することなく、必要な音圧で音響出力することができる。また、子機スピーカ１０３ｂから出力された呼出確認音や音声メッセージ等が子機マイク１０３ａへと音響的に帰還され、子機マイクアンプ１０４、子機オーディオコーデック１０６を経由して子機デジタル音声処理部１０７に伝送された場合であっても、音響エコーキャンセラ処理部１７０が非能動のまま保持されているため、通話が成立される前において、音響的に帰還された呼出確認音や音声メッセージ等のデジタル音声信号が子機Ｉ／Ｆ１０９を経由して子機／親機ラインＬ1に送出（出力）されることはない。なお、子機スピーカ１０３ｂから子機マイク１０３ａへと音響的に帰還された呼出確認音や音声メッセージ等以外の音データ、例えば、騒音データが子機マイク１０３ａに入力された場合であっても、通話が成立される前において、騒音データのデジタル音声信号が子機Ｉ／Ｆ１０９を経由して子機／親機ラインＬ1に送出（出力）されることもない。
【００８２】
また、居室親機２の親機ＣＰＵ２１３は、玄関子機１から伝送されてきた呼出信号を、親機データバス２１５、親機Ｉ／Ｆ２１４、親機／増設ラインＬ2、増設親機３の増設Ｉ／Ｆ３１２、増設データバス３１３を経由して増設ＣＰＵ３１１に転送することができる。
【００８３】
さらに、居室親機２の親機ＣＰＵ２１３は、玄関子機１の映像撮像機能を能動に制御するためのカメラ駆動信号を生成する。このカメラ駆動信号は、前述の呼出信号と逆の信号伝送路を経由して玄関子機１の子機ＣＰＵ１０８に伝送される。
【００８４】
次に、増設親機３の増設ＣＰＵ３１１は、玄関子機１から伝送されてきた呼出信号をもとに来訪者からの呼び出しがあることを検出し、その旨の呼出音や音声メッセージ等（のデジタル音声信号）について、増設データバス３１３を経由して増設ＲＯＭ３０８から読み出すとともに、読み出された呼出音や音声メッセージ等を増設通話部３０３の増設スピーカ３０３ｂから出力させるにあたり、図２に示す増設デジタル音声処理部３０７のバイパス回路３７１を制御して、音響エコーキャンセラ処理部３７０を経由せずに増設データバス３１５から受話処理アンプ３７２への信号伝送路を形成することにより、増設ＲＯＭ３０８から読み出された呼出音や音声メッセージ等は、増設データバス３１３、増設デジタル音声処理部３０７のバイパス回路３７１、受話処理アンプ３７２、増設オーディオコーデック３０６、増設スピーカアンプ３０５を経由して増設通話部３０３の増設スピーカ３０３ｂに伝送され、適宜、信号処理（Ｄ／Ａ変換）および増幅された呼出音や音声メッセージ等として増設スピーカ３０３ｂから出力させることができる。なお、増設ＣＰＵ３１１による前述の制御が行われているとき、音響エコーキャンセラ処理部３７０は非能動のまま保持されている。
【００８５】
前述までの説明から明らかなように、増設親機３の増設ＣＰＵ３１１の制御により増設ＲＯＭ３０８から読み出された呼出音や音声メッセージ等を、増設通話部３０３の増設スピーカ３０３ｂから出力させるにあたって、音響エコーキャンセラ処理部３７０は非能動のまま保持されており、この音響エコーキャンセラ処理部３７０の内部処理アンプ３７０ａ、演算処理回路３７０ｂおよび送話ミュート処理回路３７０ｃはそれぞれ動作（駆動）する必要がないため消費電力を抑えることできるばかりでなく、演算処理回路３７０ｂは、通話が成立される前においてフィルタ係数を不適切に学習することなく、必要な音圧で音響出力することができる。また、増設スピーカ３０３ｂから出力された呼出音や音声メッセージ等が増設マイク３０３ａへと音響的に帰還され、増設マイクアンプ３０４、増設オーディオコーデック３０６を経由して増設デジタル音声処理部３０７に伝送された場合であっても、音響エコーキャンセラ処理部３７０が非能動のまま保持されているため、通話が成立される前において、音響的に帰還された呼出音や音声メッセージ等のデジタル音声信号が増設Ｉ／Ｆ３１２を経由して親機／増設ラインＬ2に送出（出力）されることはない。なお、増設スピーカ３０３ｂから増設マイク３０３ａへと音響的に帰還された呼出音や音声メッセージ等以外の音データ、例えば、騒音データが増設マイク３０３ａに入力された場合であっても、通話が成立される前において、騒音データのデジタル音声信号が増設Ｉ／Ｆ３１２を経由して親機／増設ラインＬ1に送出（出力）されることもない。
【００８６】
また、増設親機３の増設ＣＰＵ３１１は、玄関子機１から伝送されてきた呼出信号をもとに来訪者からの呼び出しがあることを検出し、その旨の文字メッセージや絵データ等について、増設データバス３１３を経由して接続された増設ＲＯＭ３０８から読み出すとともに、増設モニタ３０１および増設映像処理部３０２をそれぞれ動作（駆動）させて当該増設モニタを表示／出画表示に制御し、増設ＲＯＭ３０８から読み出された文字メッセージや絵データ等を増設モニタ３０１に表示させることができる。
【００８７】
次に、玄関子機１の子機ＣＰＵ１０８は、居室親機２から伝送されてきたカメラ駆動信号を検出すると、カメラ１０１および子機映像処理部１０２をそれぞれ動作（駆動）させることができる。このカメラ１０１にて撮像が開始された映像である呼出操作を行った来訪者の映像や住戸外、エントランスの周囲近傍の映像は、子機映像処理部１０２を経由して映像変調信号に信号処理（ＦＭ変調）された後、子機Ｉ／Ｆ１０９、子機／親機ラインＬ1、居室親機２の親機Ｉ／Ｆ２１４を経由して親機映像処理部２０２に伝送されるとともに、前述の親機Ｉ／Ｆ２１４にて受信された後、親機／増設ラインＬ2、増設親機３の増設Ｉ／Ｆ３１２を経由して増設映像処理部３０２に転送される。
【００８８】
また、居室親機２の親機映像処理部２０２は、玄関子機１から伝送されてきた映像変調信号を信号処理（ＦＭ復調）し、呼出操作を行った来訪者の映像や住戸外、エントランスの周囲近傍の映像を親機モニタ２０１に出画するとともに、信号処理（ＦＭ復調）された映像信号を（デジタル信号で）親機映像ＲＡＭ２０９に記憶することができる。
【００８９】
さらに、増設親機３の増設映像処理部３０２は、玄関子機１から伝送されてきた映像変調信号を信号処理（ＦＭ復調）し、呼出操作を行った来訪者の映像や住戸外、エントランスの周囲近傍の映像を増設モニタ３０１に出画するとともに、信号処理（ＦＭ復調）された映像信号を（デジタル信号で）増設映像ＲＡＭ３０９に記憶することができる。
【００９０】
次に、本発明の実施例による第２の動作として、来訪者が、図１に示す玄関子機１の呼出部１００を使用して所定の呼出操作を行うと、この呼出操作を検出した子機ＣＰＵ１０８にて呼出信号が生成される。また、子機ＣＰＵ１０８にて生成された呼出信号は、前述の第１の動作と同一の信号伝送路を経由して居室親機２の親機ＣＰＵ２１３に伝送される。さらに、子機ＣＰＵ１０８は、図２に示す子機デジタル音声処理部１０７のバイパス回路１７１を制御して、音響エコーキャンセラ処理部１７０を経由して子機Ｉ／Ｆ１０９から受話処理アンプ１７２への信号伝送路を形成する。なお、子機ＣＰＵ１０８による前述の制御が行われているとき、音響エコーキャンセラ処理部１７０は能動に制御されているため、送話ミュート処理回路１７０ｃはオン状態となる。
【００９１】
居室親機２の親機ＣＰＵ２１３は、玄関子機１から伝送されてきた呼出信号をもとに来訪者からの呼び出しがあることを検出し、その旨の呼出音や音声メッセージ等（のデジタル音声信号）について、親機データバス２１５を経由して親機ＲＯＭ２０８から読み出すとともに、読み出された呼出音や音声メッセージ等を親機通話部２０３の親機スピーカ２０３ｂから出力させるにあたり、図２に示す親機デジタル音声処理部２０７のバイパス回路２７１を制御して、音響エコーキャンセラ処理部２７０を経由して親機データバス２１５から受話処理アンプ２７２への信号伝送路を形成することにより、親機ＲＯＭ２０８から読み出された呼出音や音声メッセージ等（のデジタル音声信号）は、親機データバス２１５、親機デジタル音声処理部２０７のバイパス回路２７１、音響エコーキャンセラ処理部２７０の内部処理アンプ２７０ａ、演算処理回路２７０ｂ、受話処理アンプ２７２、親機オーディオコーデック２０６、親機スピーカアンプ２０５を経由して親機通話部２０３の親機スピーカ２０３ｂに伝送され、適宜、信号処理（Ｄ／Ａ変換）および増幅された呼出音や音声メッセージ等として親機スピーカ２０３ｂから出力させることができる。なお、親機ＣＰＵ２０８による前述の制御が行われているとき、音響エコーキャンセラ処理部２７０は能動に制御されているため、送話ミュート処理回路２７０ｃはオン状態となる。
【００９２】
前述までの説明から明らかなように、居室親機２の親機ＣＰＵ２１３の制御により親機ＲＯＭ２０８から読み出された呼出音や音声メッセージ等を、親機通話部２０３の親機スピーカ２０３ｂから出力させるにあたって、音響エコーキャンセラ処理部２７０は能動に制御されているため、親機スピーカ２０３ｂから親機マイク２０３ａへと音響的に帰還された呼出音や音声メッセージ等が親機マイクアンプ２０４、親機オーディオコーデック２０６を経由して親機デジタル音声処理部２０７に伝送された場合であっても、音響エコーキャンセラ処理部２７０の演算処理回路２７０ｂの作用により擬似エコーで抑圧することができるばかりでなく、通話が成立される前において、音響的に帰還された呼出音や音声メッセージ等のデジタル音声信号が親機Ｉ／Ｆ２１４を経由して子機／親機ラインＬ1に送出（出力）されることはない。また、演算処理回路２７０ｂは、通話が成立される前においてフィルタ係数を適切に学習しつつ擬似エコー作成の精度を高め、必要な音圧で音響出力することができる。なお、親機スピーカ２０３ｂから親機マイク２０３ａへと音響的に帰還された呼出音や音声メッセージ等以外の音データ、例えば、騒音データが親機マイク２０３ａに入力された場合であっても、この騒音データの音圧は、音響エコーキャンセラ処理部２７０の送話ミュート処理回路２７０ｃの作用によりミュートすることできため、通話が成立される前において、騒音データのデジタル音声信号が親機Ｉ／Ｆ２１４を経由して子機／親機ラインＬ1に送出（出力）されることもない。
【００９３】
また、玄関子機１から伝送されてきた呼出信号をもとに来訪者からの呼び出しがあることを検出した居室親機２の親機ＣＰＵ２１３の制御により親機ＲＯＭ２０８から読み出された文字メッセージや絵データ等を親機モニタ２０１に表示させる動作と、この呼出信号を増設親機３の増設ＣＰＵ３１１に転送する動作と、この呼出信号をもとに来訪者からの呼び出しがあることを検出した増設ＣＰＵ３１１の制御により増設ＲＯＭ３０８から読み出された文字メッセージや絵データ等を増設モニタ３０１に表示させる動作と、玄関子機１の映像撮像機能を能動に制御するためのカメラ駆動信号を親機ＣＰＵ２１３にて生成し、このカメラ駆動信号を検出した玄関子機１の子機ＣＰＵ１０８の制御をもとに、カメラ１０１にて撮像が開始された映像を親機モニタ２０１および増設モニタ３０１にそれぞれ出画させる動作とは、それぞれ前述の第１の動作と同一であることから、説明は省略するものとする。
【００９４】
次に、居室親機２の親機ＣＰＵ２１３は、玄関子機１から伝送されてきた呼出信号をもとに来訪者からの呼び出しがあることを検出し、この呼出検出が正常に行われた旨の呼出確認音や音声メッセージ等（のデジタル音声信号）について、親機データバス２１５を経由して親機ＲＯＭ２０８から読み出す。このデジタル音声信号は、親機ＲＯＭ２０８から親機データバス２１５、親機Ｉ／Ｆ２１４、子機／親機ラインＬ1、玄関子機１の子機Ｉ／Ｆ１０９、図２に示す子機デジタル音声処理部１０７のバイパス回路１７１、音響エコーキャンセラ処理部１７０の内部処理アンプ１７０ａ、演算処理回路１７０ｂ、受話処理アンプ１７２、子機オーディオコーデック１０６、子機スピーカアンプ１０５を経由して子機通話部１０３の子機スピーカ１０３ｂに伝送され、適宜、信号処理（Ｄ／Ａ変換）および増幅された呼出確認音や音声メッセージ等として子機スピーカ１０３ｂから出力させることができる。
【００９５】
前述までの説明から明らかなように、居室親機２の親機ＣＰＵ２１３の制御により親機ＲＯＭ２０８から読み出された呼出確認音や音声メッセージ等を、玄関子機１を構成する子機通話部１０３の子機スピーカ１０３ｂから出力させるにあたって、音響エコーキャンセラ処理部１７０は能動に制御されているため、子機スピーカ１０３ｂから子機マイク１０３ａへと音響的に帰還された呼出確認音や音声メッセージ等が子機マイクアンプ１０４、子機オーディオコーデック１０６を経由して子機デジタル音声処理部１０７に伝送された場合であっても、音響エコーキャンセラ処理部１７０の演算処理回路１７０ｂの作用により擬似エコーで抑圧することができるばかりでなく、通話が成立される前において、音響的に帰還された呼出確認音や音声メッセージ等のデジタル音声信号が子機Ｉ／Ｆ１０９を経由して子機／親機ラインＬ1に送出（出力）されることはない。また、演算処理回路１７０ｂは、通話が成立される前においてフィルタ係数を適切に学習しつつ擬似エコー作成の精度を高め、必要な音圧で音響出力することができる。なお、子機スピーカ１０３ｂから子機マイク１０３ａへと音響的に帰還された呼出確認音や音声メッセージ等以外の音データ、例えば、騒音データが子機マイク１０３ａに入力された場合であっても、この騒音データの音圧は、音響エコーキャンセラ処理部１７０の送話ミュート処理回路１７０ｃの作用によりミュートすることできため、通話が成立される前において、騒音データのデジタル音声信号が子機Ｉ／Ｆ１０９を経由して子機／親機ラインＬ1に送出（出力）されることもない。
【００９６】
次に、増設親機３の増設ＣＰＵ３１１は、玄関子機１から伝送されてきた呼出信号をもとに来訪者からの呼び出しがあることを検出し、その旨の呼出音や音声メッセージ等（のデジタル音声信号）について、増設データバス３１３を経由して増設ＲＯＭ３０８から読み出すとともに、読み出された呼出音や音声メッセージ等を増設通話部３０３の増設スピーカ３０３ｂから出力させるにあたり、図２に示す増設デジタル音声処理部３０７のバイパス回路３７１を制御して、音響エコーキャンセラ処理部３７０を経由して増設データバス３１３から受話処理アンプ３７２への信号伝送路を形成することにより、増設ＲＯＭ３０８から読み出された呼出音や音声メッセージ等のデジタル音声信号は、増設データバス３１３、増設デジタル音声処理部３０７のバイパス回路３７１、音響エコーキャンセラ処理部３７０の内部処理アンプ３７０ａ、演算処理回路３７０ｂ、受話処理アンプ３７２、増設オーディオコーデック３０６、増設スピーカアンプ３０５を経由して増設通話部３０３の増設スピーカ３０３ｂに伝送され、適宜、信号処理（Ｄ／Ａ変換）および増幅された呼出音や音声メッセージ等として増設スピーカ３０３ｂから出力させることができる。なお、増設ＣＰＵ３０８による前述の制御が行われているとき、音響エコーキャンセラ処理部３７０は能動に制御されているため、送話ミュート処理回路３７０ｃはオン状態となる。
【００９７】
前述までの説明から明らかなように、増設親機３の増設ＣＰＵ３１１の制御により増設ＲＯＭ３０８から読み出された呼出音や音声メッセージ等を、増設通話部３０３の増設スピーカ３０３ｂから出力させるにあたって、音響エコーキャンセラ処理部３７０は能動に制御されているため、増設スピーカ３０３ｂから増設マイク３０３ａへと音響的に帰還された呼出音や音声メッセージ等が増設マイクアンプ３０４、増設オーディオコーデック３０６を経由して増設デジタル音声処理部３０７に伝送された場合であっても、音響エコーキャンセラ処理部３７０の演算処理回路３７０ｂの作用により擬似エコーで抑圧することができるばかりでなく、通話が成立される前において、音響的に帰還された呼出音や音声メッセージ等のデジタル音声信号が増設Ｉ／Ｆ３１２を経由して親機／増設ラインＬ2に送出（出力）されることはない。また、演算処理回路３７０ｂは、通話が成立される前においてフィルタ係数を適切に学習しつつ擬似エコー作成の精度を高め、必要な音圧で音響出力することができる。なお、増設スピーカ３０３ｂから増設マイク３０３ａへと音響的に帰還された呼出音や音声メッセージ等以外の音データ、例えば、騒音データが増設マイク２０３ａに入力された場合であっても、この騒音データの音圧は、音響エコーキャンセラ処理部３７０の送話ミュート処理回路３７０ｃの作用によりミュートすることできため、通話が成立される前において、騒音データのデジタル音声信号が増設Ｉ／Ｆ３１２を経由して親機／増設ラインＬ2に送出（出力）されることもない。
【００９８】
次に、本発明の実施例による第３の動作として、前述の第１の動作（または第２の動作）から明らかなように、図１に示す居室親機２を構成する親機通話部２０３の親機スピーカ２０３ｂから出力された呼出音や音声メッセージ等、親機モニタ２０１に表示／出画された呼出メッセージや絵データ等および映像をもとに、来訪者からの呼び出しがあることを当該来訪者の識別と併せて確認できた第１の居住者と、増設親機３を構成する増設通話部３０３の増設スピーカ３０３ｂから出力された呼出音や音声メッセージ等、増設モニタ３０１に表示／出画された呼出メッセージや絵データ等および映像をもとに、来訪者からの呼び出しがあることを当該来訪者の識別と併せて確認できた第２の居住者とのうち、最先に応答した居住者、ここでは、第１の居住者が居室親機２の親機操作部２００を使用して所定の応答操作を行うと、この応答操作を検出した親機ＣＰＵ２１３の制御により、子機／親機ラインＬ1から親機Ｉ／Ｆ２１４、図２に示す親機デジタル音声処理部２０７を構成する音響エコーキャンセラ処理部２７０の内部処理アンプ２７０ａ、演算処理回路２７０ｂ、受話処理アンプ２７２、親機オーディオコーデック２０６、親機スピーカアンプ２０５を経由して第１の居住者が使用する親機通話部２０３の親機スピーカ２０３ｂへの信号伝送路（以下、親機受話路という。）と、第１の居住者が使用する親機通話部２０３の親機マイク２０３ａから親機マイクアンプ２０４、親機オーディオコーデック２０６、親機デジタル音声処理部２０７を構成する音響エコーキャンセラ処理部２７０の演算処理回路２７０ｂ、オフ状態に制御された送話ミュート処理回路２７０ｃ、親機Ｉ／Ｆ２１４を経由して子機／親機ラインＬ1までの信号伝送路（以下、親機送話路という。）とがそれぞれ形成される。
【００９９】
また、居室親機２の親機ＣＰＵ２１３は、第１の居住者により応答操作が行われた旨の応答信号（以下、第１の応答信号という。）を生成する。この第１の応答信号は、前述のカメラ駆動信号と同一の信号伝送路を経由して玄関子機１の子機ＣＰＵ１０８に伝送される。
【０１００】
玄関子機１の子機ＣＰＵ１０８は、居室親機２から伝送されてきた第１の応答信号をもとに第１の居住者による応答操作があったことを検出する。この子機ＣＰＵ１０８は、子機／親機ラインＬ1から子機Ｉ／Ｆ１０９、図２に示す子機デジタル音声処理部１０７を構成する音響エコーキャンセラ処理部１７０の内部処理アンプ１７０ａ、演算処理回路１７０ｂ、受話処理アンプ１７２、子機オーディオコーデック１０６、子機スピーカアンプ１０５を経由して来訪者が使用する子機通話部１０３の子機スピーカ１０３ｂへの信号伝送路（以下、子機受話路という。）と、来訪者が使用する子機通話部１０３の子機マイク１０３ａから子機マイクアンプ１０４、子機オーディオコーデック１０６、子機デジタル音声処理部１０７を構成する音響エコーキャンセラ処理部１７０の演算処理回路１７０ｂ、オフ状態に制御された送話ミュート処理回路１７０ｃ、子機Ｉ／Ｆ１０９を経由して子機／親機ラインＬ1までの信号伝送路（以下、子機送話路という。）とをそれぞれ形成する。
【０１０１】
さらに、前述の４つの通話路（親機送話路、親機受話路、子機送話路、子機受話路）を経由してアナログ／デジタル音声信号を送受信させると、居室親機２の親機デジタル音声処理部２０７を構成する音響エコーキャンセラ処理部２７０および玄関子機１の子機デジタル音声処理部１０７を構成する音響エコーキャンセラ処理部１７０のそれぞれの制御により、親機通話部２０３の親機スピーカ２０３ｂから増設マイク２０３ａへの音響的な帰還量および子機通話部１０３の子機スピーカ１０３ｂから子機マイク１０３ａへの音響的な帰還量が軽減されるため、良好な通話品質が確保された状態で通話を成立させることができる。なお、前述の通話が成立されているとき、親機オーディオコーデック２０６を経由してＡ／Ｄ変換された第１の居住者のデジタル音声信号と、親機デジタル音声処理部２０７を経由して伝送されてくる来訪者のデジタル音声信号とは、親機データバス２１５を経由して親機音声ＲＡＭ２１０に記憶（録音）することができる。
【０１０２】
一方、最先に応答した居住者として、第２の居住者が増設親機３の増設操作部３００を使用して所定の応答操作を行うと、この応答操作を検出した増設ＣＰＵ３１１の制御により、親機／増設ラインＬ2から増設Ｉ／Ｆ３１２、図２に示す増設デジタル音声処理部３０７を構成する音響エコーキャンセラ処理部３７０の内部処理アンプ３７０ａ、演算処理回路３７０ｂ、受話処理アンプ３７２、増設オーディオコーデック３０６、増設スピーカアンプ３０５を経由して第２の居住者が使用する増設通話部３０３の増設スピーカ３０３ｂへの信号伝送路（以下、増設受話路という。）と、第２の居住者が使用する増設通話部３０３の増設マイク３０３ａから増設マイクアンプ３０４、増設オーディオコーデック３０６、増設デジタル音声処理部３０７を構成する音響エコーキャンセラ処理部３７０の演算処理回路３７０ｂ、オフ状態に制御された送話ミュート処理回路３７０ｃ、増設Ｉ／Ｆ３１２を経由して親機／増設ラインＬ2までの信号伝送路（以下、増設送話路という。）とがそれぞれ形成される。
【０１０３】
また、増設親機３の増設ＣＰＵ３１１は、第２の居住者により応答操作が行われた旨の応答信号（以下、第２の応答信号という。）を生成する。この第２の応答信号は、前述の呼出信号と逆の信号伝送路を経由して玄関子機１の子機ＣＰＵ１０８に伝送される。
【０１０４】
玄関子機１の子機ＣＰＵ１０８は、増設親機３から伝送されてきた第２の応答信号をもとに第２の居住者による応答操作があったことを検出する。この子機ＣＰＵ１０８は、第１の応答信号を検出したときと同一の子機受話路および子機送話路をそれぞれ形成する。
【０１０５】
さらに、前述までの４つの通話路（増設送話路、増設受話路、子機送話路、子機受話路）を経由してアナログ／デジタル音声信号を送受信させると、増設親機３の増設デジタル音声処理部３０７を構成する音響エコーキャンセラ処理部３７０および玄関子機１の子機デジタル音声処理部１０７を構成する音響エコーキャンセラ処理部１７０のそれぞれの制御により、増設通話部３０３の増設スピーカ３０３ｂから増設マイク３０３ａへの音響的な帰還量および子機通話部１０３の子機スピーカ１０３ｂから子機マイク１０３ａへの音響的な帰還量が軽減されるため、良好な通話品質が確保された状態で通話を成立させることができる。なお、前述の通話が成立されているとき、増設オーディオコーデック３０６を経由してＡ／Ｄ変換された第２の居住者のデジタル音声信号と、増設デジタル音声処理部３０７を経由して伝送されてくる来訪者のデジタル音声信号とは、増設データバス３１３を経由して増設音声ＲＡＭ３１０に記憶（録音）することができる。
【０１０６】
なお、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【０１０７】
【図１】本発明の実施例によるインターホンシステムの全体構成を示すブロック図。
【図２】本発明の実施例によるインターホンシステムにおいて、玄関子機、１台以上の親機（居室親機、増設親機）にそれぞれ備えられるデジタル音声処理部の具体的な構成を示すブロック図。
【符号の説明】
【０１０８】
１……玄関子機
１００……呼出部
１０３……子機通話部（通話部）
１０３ａ……子機マイク（マイク）
１０３ｂ……子機スピーカ（スピーカ）
１０６……子機オーディオコーデック（オーディオコーデック）
１０７……子機デジタル音声処理部（デジタル音声処理部）
１７０……音響エコーキャンセラ処理部
１７０ｃ……送話ミュート処理回路
１７１……バイパス回路
１０８……子機ＣＰＵ（ＣＰＵ）
２……居室親機（親機）
２０３……親機通話部（通話部）
２０３ａ……親機マイク（マイク）
２０３ｂ……親機スピーカ（スピーカ）
２０６……親機オーディオコーデック（オーディオコーデック）
２０７……親機デジタル音声処理部（デジタル音声処理部）
２７０……音響エコーキャンセラ処理部
２７０ｃ……送話ミュート処理回路
２７１……バイパス回路
２１３……親機ＣＰＵ（ＣＰＵ）
３……増設親機
３０３……増設通話部（通話部）
３０３ａ……増設マイク（マイク）
３０３ｂ……増設スピーカ（スピーカ）
３０６……増設オーディオコーデック（オーディオコーデック）
３０７……増設デジタル音声処理部（デジタル音声処理部）
３７０……音響エコーキャンセラ処理部
３７０ｃ……送話ミュート処理回路
３７１……バイパス回路
３１１……増設ＣＰＵ（ＣＰＵ）
【図１】
2007266704.tif 000003
【図２】
2007266704.tif 000004